(57)【特許請求の範囲】
【請求項１】
プリンター本体の背部上側に、プリント用紙を保持するための背板が設けられ、この背板の前面にプリント用紙の幅に合わせて左右方向に調整移動可能なしきい板部が設けられているとともに、この背板の幅方向中央箇所に上方に突出した幅小の用紙保持板が設けられたプリンターにおいて、前記用紙保持板の上端に水平板が取り付けられていて、この水平板の少なくとも一方側に、水平板の表面に収納可能であって、垂下状態にしたときにその下端を前記しきい板部の上端に接続固定可能な上部しきい板部を設けていることを特徴とするプリンター。
【請求項２】
前記水平板には、前記上部しきい板部を、前記しきい板部が左右方向に移動されるときに左右移動可能とする長溝が設けられていることを特徴とする請求項１に記載のプリンター。
【請求項３】
前記上部しきい板部には、その上部側に、前記しきい板部に接続するときに、上下移動可能とするための長溝が設けられていることを特徴とする請求項１又は２に記載のプリンター。
【請求項４】
前記上部しきい板部は、前記しきい板部の前面側に上下移動可能に接続可能な断面コ字形に形成されていることを特徴とする請求項１乃至３のいずれかに記載のプリンター。
【発明の詳細な説明】
【０００１】
【発明の属する技術分野】
本発明は、プリンター本体の背部上側に、プリント用紙を保持するための背板が設けられ、この背板の前面にプリント用紙の幅に合わせて左右方向に調整移動可能なしきい板部が設けられているとともに、この背板の幅方向中央箇所に上方に突出した幅小の用紙保持板が設けられたプリンターに関し、特にプリント用紙が斜行して給紙されないようにしたプリンターに関する。
【０００２】
【従来の技術】
一般に、従来のプリンターは、図２に示すように、プリント用紙を保持するための背板１０１が設けられ、この背板１０１の前面にプリント用紙の幅に合わせて左右方向に調整移動可能なしきい板部１０２、１０２が設けられているとともに、この背板１０１の幅方向中央箇所に上方に突出した幅小の用紙保持板１０３が設けらている。
そして、この背板１０１と用紙保持板１０３にプリント用紙を斜め向きに立てた状態で保持して、このプリント用紙をプリンター内のプリント部に向けて給紙いた。
ところが、しきい板部１０２が短く、プリント用紙の上部は用紙保持板１０３で保持しているだけなので、プリント用紙がその給紙時に斜行して給紙されてしまうことがあるという問題があった。
【０００３】
また、実開平３−３５９３８ｂ号公報には、画像形成装置の給紙装置が記載されている。
これは、図３に示すように、カット紙にトナー画像を転写し、このトナー画像を定着して記録紙を作成する画像形成装置において、カット紙を給紙するための手差しトレイ２０３を配置し、このトレイ２０３に対応する用紙搬送路の導入口部分の本体２０１側の内側に、用紙の上面に軽く接するシート状部材２２０を配置するとともに、用紙の両側に接する部材２１７を配置し、トレイ２０３の一方側に給紙ガイド２０４を設けたものである。
ところが、これにおいては、給紙ガイド２０４が短いので、用紙が斜行して給紙されることがあるという問題があった。
【０００４】
【発明が解決しようとする課題】
本発明は、上記従来の問題を解消し、給紙時のプリント用紙の斜行を防いで確実に給紙することができ、しかも、背板と用紙保持板の前面側にプリント用紙を置いてからでも、プリント用紙を揃えることができるプリンターを提供することを目的としている。
【０００５】
【課題を解決するための手段】
上記課題を解決するために、請求項１に記載の発明は、プリンター本体の背部上側に、プリント用紙を保持するための背板が設けられ、この背板の前面にプリント用紙の幅に合わせて左右方向に調整移動可能なしきい板部が設けられているとともに、この背板の幅方向中央箇所に上方に突出した幅小の用紙保持板が設けられたプリンターにおいて、前記用紙保持板の上端に水平板が取り付けられていて、この水平板の少なくとも一方側に、水平板の表面に収納可能であって、垂下状態にしたときにその下端を前記しきい板部の上端に接続固定可能な上部しきい板部を設けていることを特徴としている。
【０００６】
請求項２に記載の発明は、前記水平板には、前記上部しきい板部を、前記しきい板部が左右方向に移動されるときに左右移動可能とする長溝が設けられていることを特徴としている。
請求項３に記載の発明は、前記上部しきい板部には、その上部側に、前記しきい板部に接続するときに、上下移動可能とするための長溝が設けられていることを特徴としている。
請求項４に記載の発明は、前記上部しきい板部は、前記しきい板部の前面側に上下移動可能に接続可能な断面コ字形に形成されていることを特徴としている。
【０００７】
【発明の実施の形態】
以下、本発明に係るプリンターの実施の形態について、図を参照しつつ説明する。
図１は本発明の実施形態のプリンターを示し、（ａ）はその用紙保持板を上方に伸ばし上部しきい板を垂下した状態としてしきい板部に接続した状態を示す正面図、（ｂ）はその用紙保持板を背板に収納して上部しきい板を水平向きに下状態を示す正面図、（ｃ）はしきい板と上部しきい板の接続状態を示す拡大横断面図である。
【０００８】
本実施形態のプリンターは、図１（ａ）に示すように、プリンター本体１の背部上側に、プリント用紙を保持するための背板２が設けられ、この背板２の前面にプリント用紙の幅に合わせて左右方向に調整移動することができるしきい板部３、４が設けられているとともに、この背板２の幅方向中央箇所に上方に突出し背板２内に収納可能な幅小の用紙保持板５が設けられている。
そして、用紙保持板５の上端に水平板６が取り付けられていて、この水平板６の一方側に、図１（ｂ）に示すように、水平板６の表面に収納可能であって、図１（ａ）に示すように、垂下状態にしたときにその下端をしきい板部３の上端に接続固定可能な上部しきい板部７が設けられている。
【０００９】
更に、水平板６には、上部しきい板部７の軸部７１が挿入されていて、しきい板部３が左右方向に移動されるときに、このしきい板部３と一体に上部しきい板部７が左右移動するための長溝６１が設けられており、上部しきい板部７には、その上部側に、しきい板部３に接続するときに、前記軸部７１が挿入されて上部しきい板部７が上下移動するための長溝７２が設けられている。
また、上部しきい板部７は、図１（ｃ）に示すように、しきい板部３の前面側に上下移動できるように接続される断面コ字形に形成されている。
【００１０】
本実施形態のプリンターによれば、図１に示すように、しきい板部３の上側に上部しきい板部７を接続することによって、プリント用紙を背板２と用紙保持板５の前面に整理した状態で斜め向きに立てることができて、給紙時のプリント用紙の斜行を防いで確実に給紙することができる。しかも、背板２と用紙保持板５の前面側にプリント用紙を置いてからでも、プリント用紙を揃えることができる。  しかも、図１（ｂ）に示すように、用紙保持板５を下方に移動させて背板２内に収納したときに、上部しきい板部７を水平板６の表面に収納することができて嵩張らない状態とすることができる。
【００１１】
【発明の効果】
以上説明したように、請求項１に記載の発明によれば、プリンター本体の背部上側に、プリント用紙を保持するための背板が設けられ、この背板の前面にプリント用紙の幅に合わせて左右方向に調整移動可能なしきい板部が設けられているとともに、この背板の幅方向中央箇所に上方に突出した幅小の用紙保持板が設けており、用紙保持板の上端に水平板が取り付けられていて、この水平板の少なくとも一方側に、水平板の表面に収納可能であって、垂下状態にしたときにその下端をしきい板部の上端に接続固定可能な上部しきい板部を設けているので、この上部しきい板部を垂下状態としたときに、この上部しきい板部でプリント用紙の上側が整理された状態で保持されて、給紙時のプリント用紙の斜行を防いで確実に給紙することができる。
【００１２】
しかも、背板と用紙保持板の前面側にプリント用紙を置いてからでも、プリント用紙を揃えることができる、
また、用紙保持板を下方に移動させて背板内に収納したときに、上部しきい板部を水平板の表面に収納することができて嵩張らない状態とすることができる。
【００１３】
請求項２に記載の発明によれば、水平板には、上部しきい板部を、しきい板部が左右方向に移動されるときに左右移動可能とする長溝が設けられているので、上部しきい板部をしきい板部の左右移動と一体に左右移動することができて、プリント用紙の幅寸法に合わせることができる。
請求項３に記載の発明によれば、上部しきい板部には、その上部側に、しきい板部に接続するときに、上下移動可能とするための長溝が設けられているので、上部しきい板部のしきい板部への接続を容易に行うことができる。
【００１４】
請求項４に記載の発明によれば、上部しきい板部は、しきい板部の前面側に上下移動可能に接続可能な断面コ字形に形成されているので、上部しきい板部の下端部をしきい板部の上端部に簡単に接続することができ、しかも、用紙保持板を上下移動調整するときに、上部しきい板部をしきい板部に対してスムーズに上下移動することができる。
【図面の簡単な説明】
【図１】本発明の実施形態のプリンターを示し、（ａ）はその用紙保持板を上方に伸ばし上部しきい板を垂下した状態としてしきい板部に接続した状態を示す正面図、（ｂ）はその用紙保持板を背板に収納して上部しきい板を水平向きに下状態を示す正面図、（ｃ）はしきい板と上部しきい板の接続状態を示す拡大横断面図である。
【図２】従来のプリンターの正面図である。
【図３】従来の画像形成装置の給紙装置を示す分解斜視図である。
【符号の説明】
１            プリンター本体
２            背板
３、４        しきい板部
５            用紙保持板
６            水平板
６１          長溝
７            上部しきい板部
７２          長溝
【図１】
0004218170.tif 000002
【図２】
0004218170.tif 000003
【図３】
0004218170.tif 000004